(57)【要約】【課題】湯温混合弁がロック等の異常となった場合においても、出湯温度を低下させることで安全性の高い貯湯式温水器を提供すること。【解決手段】貯湯タンク１内の湯水を加熱させる加熱装置６と、給水管２から分岐して供給される水と給湯管３から供給される高温湯とを混合する湯温混合弁４と、貯湯タンク１の上部と下部とを連結し途中に加熱装置６を配設した第１の循環回路７と、加熱装置６と貯湯タンク１の下部との間から分岐し上部に接続される第２の循環回路１０と、第１の循環回路７と第２の循環回路１０の分岐点に配設される切換弁とを備え、切換弁９を切り換えることによって、貯湯タンク１の下部の水を加熱して上部へ供給するか、加熱しないで貯湯タンクの上部へ供給するかを変更する。【選択図】図１
2009103374.tif 000002
【特許請求の範囲】
【請求項１】
湯水を貯える貯湯タンクと、前記貯湯タンク内の湯水を加熱させる加熱装置と、貯湯タンク上部の高温湯を出湯する給湯管と、給水源から貯湯タンクの下部へ水を供給する給水管と、前記給水管から分岐して供給される水と前記給湯管から供給される高温湯とを適温の湯に混合する湯温混合弁と、前記貯湯タンクの上部と下部とを連結し途中に前記加熱装置を配設した第１の循環回路と、前記第１の循環回路において前記加熱装置と前記貯湯タンクの下部との間から分岐し前記貯湯タンクの上部に接続される第２の循環回路と、前記第１の循環回路と前記第２の循環回路の分岐点に配設される切換弁と、前記切換弁と前記貯湯タンクの下部との間に配設された循環ポンプとを備え、前記切換弁を切り換えることによって、前記貯湯タンク下部の水を前記加熱装置で加熱して貯湯タンクの上部へ供給するか、前記加熱装置で加熱しないで貯湯タンクの上部へ供給するかを変更することができることを特徴とする貯湯式温水器。
【請求項２】
湯温混合弁の下流に湯温検出手段を備え、前記湯温検出手段で検出される温度が、設定温度よりも所定温度高い状態を検出した場合には、切換弁を切り換えることにより、貯湯タンク下部の低温水を、加熱装置で加熱しないで前記貯湯タンクの上部へ供給することを特徴とする請求項１に記載の貯湯式温水器。
【請求項３】
湯温混合弁の下流に湯温検出手段を備え、前記湯温検出手段で検出される温度が、設定温度よりも所定温度高い状態を所定時間検出し続けた場合には、切換弁を切り換えることにより、貯湯タンク下部の低温水を、加熱装置で加熱しないで前記貯湯タンクの上部へ供給することを特徴とする請求項１に記載の貯湯式温水器。
【発明の詳細な説明】
【技術分野】
【０００１】
本発明は湯温混合弁により出湯湯温を調整する貯湯式温水器に関するものである。
【背景技術】
【０００２】
従来、湯温混合弁により出湯湯温を調整する貯湯式温水器は、貯湯タンク上部の高温水と給水管より供給される低温水とを設定温度へ混合し出湯していた。（例えば、特許文献１参照）図３は特許文献１に記載された従来の湯温混合弁により出湯湯温を調整する貯湯式温水器の構成を示すものである。
【特許文献１】特開２００４−１４４３１５号公報
【発明の開示】
【発明が解決しようとする課題】
【０００３】
しかしながら、前記従来の構成では、何らかの原因により湯温混合弁のロック等が発生すると設定温度より高い温度のまま出湯されるという課題を有していた。
【０００４】
本発明は、前記従来の課題を解決するもので、湯温混合弁がロック等の異常モードに陥り設定温度より高い出湯をある一定時間検出した時に、出湯温度を低下させることを可能とした貯湯式温水器を提供することを目的とする。
【課題を解決するための手段】
【０００５】
前記従来の課題を解決するために、本発明の貯湯式温水器は、湯水を貯える貯湯タンクと、前記貯湯タンク内の湯水を加熱させる加熱装置と、貯湯タンク上部の高温湯を出湯する給湯管と、給水源から貯湯タンクの下部へ水を供給する給水管と、前記給水管から分岐して供給される水と前記給湯管から供給される高温湯とを適温の湯に混合する湯温混合弁と、前記貯湯タンクの上部と下部とを連結し途中に前記加熱装置を配設した第１の循環回路と、前記第１の循環回路において前記加熱装置と前記貯湯タンクの下部との間から分岐し前記貯湯タンクの上部に接続される第２の循環回路と、前記第１の循環回路と前記第２の循環回路の分岐点に配設される切換弁と、前記切換弁と前記貯湯タンクの下部との間に配設された循環ポンプとを備え、前記切換弁を切り換えることによって、前記貯湯タンク下部の水を前記加熱装置で加熱して貯湯タンクの上部へ供給するか、前記加熱装置で加熱しないで貯湯タンクの上部へ供給するかを変更することができることにより、簡単な構成で貯湯タンク上部の温度を低くすることができ、出湯温度を低下することができる。
【発明の効果】
【０００６】
湯温混合弁がロック等の異常となった場合においても、出湯温度を低下させることで安全性の高い貯湯式温水器を提供することができる。
【発明を実施するための最良の形態】
【０００７】
第１の発明の貯湯式温水器は、湯水を貯える貯湯タンクと、前記貯湯タンク内の湯水を加熱させる加熱装置と、貯湯タンク上部の高温湯を出湯する給湯管と、給水源から貯湯タンクの下部へ水を供給する給水管と、前記給水管から分岐して供給される水と前記給湯管から供給される高温湯とを適温の湯に混合する湯温混合弁と、前記貯湯タンクの上部と下部とを連結し途中に前記加熱装置を配設した第１の循環回路と、前記第１の循環回路において前記加熱装置と前記貯湯タンクの下部との間から分岐し前記貯湯タンクの上部に接続される第２の循環回路と、前記第１の循環回路と前記第２の循環回路の分岐点に配設される切換弁と、前記切換弁と前記貯湯タンクの下部との間に配設された循環ポンプとを備え、前記切換弁を切り換えることによって、前記貯湯タンク下部の水を前記加熱装置で加熱
して貯湯タンクの上部へ供給するか、前記加熱装置で加熱しないで貯湯タンクの上部へ供給するかを変更することができることにより、簡単な構成で貯湯タンクの上部の温度をすぐに低下することができ、貯湯タンクから高温湯の出湯を抑制することができる。
【０００８】
また、貯湯タンク下部にある低温水は、加熱装置もしくは前記貯湯タンク上部へと循環させる際に、切換弁を用いて循環ポンプを共用化することにより、加熱装置を通る回路と、加熱装置を通らずに貯湯タンク上部へ供給する回路の２つを別々に備える必要がなく、省スペースかつローコストの貯湯式温水器を提供することができる。
【０００９】
第２の発明の貯湯式温水器は、特に第１の発明において、湯温混合弁の下流に湯温検出手段を備え、前記湯温検出手段で検出される温度が、設定温度よりも所定温度高い状態を検出した場合には、切換弁を切り換えることにより、貯湯タンク下部の低温水を、加熱装置で加熱しないで前記貯湯タンクの上部へ供給することにより、所定温度高い状態を検出した場合にのみ貯湯タンク下部の水を、貯湯タンク上部へ供給するため、湯温検出手段で検出される温度が、危険性のない出湯温度であれば、不必要に貯湯タンク上部の温度を下げることがない。
【００１０】
第３の発明の貯湯式温水器は、特に第１の発明において、湯温混合弁の下流に湯温検出手段を備え、前記湯温検出手段で検出される温度が、設定温度よりも所定温度高い状態を所定時間検出し続けた場合には、切換弁を切り換えることにより、貯湯タンク下部の低温水を、加熱装置で加熱しないで前記貯湯タンクの上部へ供給することにより、例えば、ハンチングなど一時的に高温状態を検出してしまう場合においては、所定時間継続して高温を検出しないと貯湯タンクの上部に低温水を供給しないので、不必要に貯湯タンク上部の温度を下げることがない。
【００１１】
（実施の形態１）
図１は、本発明の第１の実施の形態における貯湯式温水器の図を示すものである。図１において、湯水を貯える貯湯タンク１の下部へは給水源から水を供給する給水管２が接続され、また、貯湯タンク１の上部へは給湯管３が接続されて高温湯を出湯できる構成としている。
【００１２】
そして、給水管２の分岐管から供給される水と、給湯管３から供給される高温湯は、湯温混合弁４にて所定の湯温に混合されて蛇口５などの給湯端末へ供給される。湯温混合弁４の下流側には湯温検出手段１１が設けられており、湯温検出手段１１で検出される温度が設定温度となるように、湯温混合弁４を駆動制御する。
【００１３】
また、貯湯タンク１の下部と、貯湯タンク１の上部とを連結した第１の循環回路７には、加熱装置６が設けられており、貯湯タンク１の下部の低温水を、加熱装置６で加熱して貯湯タンク１の上部へ供給することができる構成としている。
【００１４】
また、第１の循環回路７において、加熱装置６と貯湯タンク１の下部との間から分岐して第２の循環回路１０を設けており、加熱装置６を通らずに貯湯タンク１の下部の低温水を貯湯タンク１の上部へ供給する構成としている。
【００１５】
さらに、第１の循環回路７と第２の循環回路１０との分岐点には、切換弁９が設けられており、貯湯タンク１の下部にある低温水を加熱装置６を通して貯湯タンク１の上部に供給する経路と、貯湯タンク１の下部にある低温水を加熱装置６を通さずに貯湯タンク１の上部に供給する経路とを切り換えることが可能となっている。
【００１６】
また、切換弁９と、貯湯タンク１の下部との間には、循環ポンプ８を有している。なお
、本実施の形態において加熱装置６はどのような形態でもよく、例えば、ヒートポンプ回路、電気ヒータなどの加熱手段を使用することができる。
【００１７】
以上のように構成された貯湯式温水器について、以下その動作、作用を説明する。
【００１８】
図２は湯温混合弁が異常モードに陥り設定温度より高い出湯をある一定時間検出した時の動作シーケンスを示している。まず、切換弁９は通常、加熱装置６側の回路へ開いている。ある設定温度での出湯時に湯温混合弁４がロック等の異常モードへ陥った時、この設定温度より所定温度だけ高い出湯をある一定時間継続して検出したら、切換弁９を貯湯タンク１の上部へ循環させる側の回路へ開き、もし循環ポンプ８が作動していない状況ならば、循環ポンプ８を駆動させる。
【００１９】
そして、貯湯タンク１の下部にある低温水が、貯湯タンク１の上部へ循環するため、貯湯タンク１上部の高温水が緩和され、よって、給湯管３内の湯温が低下し、結果的に蛇口５を経て出湯される湯温を低下させることが可能となる。
【００２０】
以上のように、本発明の貯湯式温水器は、湯温混合弁が異常モードに陥り設定温度より高い出湯をある一定時間検出した時に、出湯温度を低下させることを可能とした。
【００２１】
なお、本実施の形態においては、湯温検出手段１１で検出される温度が、設定温度より所定温度だけ高い場合に切換弁９を切り換えて貯湯タンク１の下部の低温水を、貯湯タンク１の上部へ供給したが、湯温検出手段１１で検出される温度が、ある所定温度（例えば、６０℃）よりも高い場合に切換弁９を切り換えることにより、貯湯タンク１の下部の低温水を、貯湯タンク１の上部へ供給してもよい。
【産業上の利用可能性】
【００２２】
本実施の形態に示したように、加熱装置には様々な加熱手段を適用することができる。
【図面の簡単な説明】
【００２３】
【図１】本発明の実施の形態１における貯湯式温水器の構成図
【図２】同貯湯式温水器の湯温混合弁異常時の動作シーケンスフロー図
【図３】従来の貯湯式温水器の構成概略図
【符号の説明】
【００２４】
１  貯湯タンク
２  給水管
３  給湯管
４  湯温混合弁
５  蛇口
６  加熱装置
７  第１の循環回路
８  循環ポンプ
９  切換弁
１０  第２の循環回路
１１  湯温検出手段
【図１】
2009103374.tif 000003
【図２】
2009103374.tif 000004
【図３】
2009103374.tif 000005